(57)【要約】【課題】雨水の大半を雨樋カバーの裏面に流し、残りを雨樋カバーの表面に流し、落ち葉は屋根外に流すと共に、雨樋カバーの長尺の雨樋カバーと短尺の接続用雨樋カバーが簡単に接続できる雨樋カバー等を提供する。【解決手段】雨樋カバーＡと雨樋カバー支持金具Ｂと樋受け金具Ｃにおいて、雨樋カバーＡが長尺の雨樋カバーａと短尺の接続用雨樋カバーｂ、ｃ、ｄからなり、長尺の雨樋カバーａを構成するカバー部１に、所定の間隔毎に打ち抜かずに切れ目を入れて下方部もしくは上方部に押出すか、もしくは折曲せしめて、傾斜状もしくは折曲状の雨水流し部２を雨水流出孔部２ａ内に形成せしめた。【選択図】    図１
2020012316.tif 000002
【特許請求の範囲】
【請求項１】
雨樋カバーと雨樋カバー支持金具と樋受け金具において、
前記雨樋カバーが長尺の雨樋カバーと短尺の接続用雨樋カバーからなり、前記長尺の雨樋カバーを構成するカバー部に、所定の間隔毎に打ち抜かずに切れ目を入れて下方部もしくは上方部に押出すか、もしくは折曲せしめて、傾斜状もしくは折曲状の雨水流し部を雨水流出孔部内に形成せしめることを特徴とする雨樋カバー。
【請求項２】
前記雨水流出孔部内に形成せしめられた雨水流し部が、四辺形状にて形成せしめられていることを特徴とする請求項１に記載の雨樋カバー。
【請求項３】
前記雨水流出孔部内に形成せしめられた流水流し部が、雨樋カバーを構成する前記長尺の雨樋カバーの上方縁部寄りを基部とするか、もしくは反対側の下方縁部寄りを基部として形成せしめられていることを特徴とする請求項１又は２に記載の雨樋カバー。
【請求項４】
前記雨樋カバーの長尺の雨樋カバーの左側方部と右側方部に、接続用孔部が夫々形成せしめられていることを特徴とする請求項１又は２又は３に記載の雨樋カバー。
【請求項５】
前記雨樋カバーの長尺の雨樋カバーに形成せしめられている前記雨水流し部付き雨水流出孔部が、左右交互に交差せしめる千鳥足状に形成せしめられていることを特徴とする請求項１又は２又は３又は４に記載の雨樋カバー。
【請求項６】
前記雨水流し部が、平面形状にて形成せしめられていることを特徴とする請求項１又は２又は３又は４又は５に記載の雨樋カバー。
【請求項７】
前記接続用雨樋カバーが前記長尺の雨樋カバーを雨樋にカバー施工する際に発生する隙間を埋めるための所定の長さにして、且左側方部と右側方部に、前記長尺の雨樋カバーと接続せしめる接続用孔部が、雨樋カバー支持金具に突設せしめる接続用ネジにスムーズに挿し通すことができるように、複数並列状に所定の間隔を設けて形成せしめられていることを特徴とする請求項１又は２又は３又は４又は５又は６に記載の雨樋カバー。
【請求項８】
前記請求項７に記載されている接続用雨樋カバーが、長さが最も短い短尺の接続用雨樋カバーと、前記短尺の接続用雨樋カバーよりも長い中尺の接続用雨樋カバーと、前記中尺の接続用雨樋カバーよりも長い長尺の接続用雨樋カバーにして、且前記短尺の接続用雨樋カバー及び前記中尺の接続用雨樋カバー並びに前記長尺の接続用雨樋カバーの左側方部と右側方部に接続用孔部が複数形成せしめられていることを特徴とする請求項１又は２又は３又は４又は５又は６又は７に記載の雨樋カバー。
【請求項９】
前記請求項７に記載されている接続用雨樋カバーの接続用孔部が、平行状にして、且複数並列状にて形成せしめられていることを特徴とする請求項１又は２又は３又は４又は５又は６又は７又は８に記載の雨樋カバー。
【請求項１０】
雨樋カバー支持金具と樋受け金具において、
前記雨樋カバー支持金具が、裏面部に雨樋カバーとの接続用ネジを溶着する傾斜状雨樋カバー取付け部を設け、且前記雨樋カバー取付け部の後方部を下方に折曲せしめて、内側方に突設する雨樋の後方縁部を係止もしくは引掛け係止する係止部付き軒取付け部を形成せしめ、前記軒取付け部の下方部を延設して前記雨樋を支承する支承部と、前記支承部の先端部に樋受け金具と接続する接続部を形成せしめ、前記雨樋カバー取付け部の前方部に前記雨樋の前方縁部を係止する縁係止部を形成すると共に、前記縁係止部にボルトを取着せしめ、
前記樋受け金具が、後方端部に前記雨樋カバー支持金具の先端部に設けた接続部と接続せしめる嵌挿孔付き後方接続部を形成せしめ、前方部に前記雨樋カバー支持金具の雨樋カバー取付け部の前方部と接続する孔部付き前方接続部とを形成せしめると共に、前記雨樋カバー支持金具の軒取付け部の係止部に前記雨樋の後方縁部を、前記係止部に引掛けもしくは引掛け係止せしめた後、前記樋受け金具の前方部と、前記縁係止部とをボルトを介して接続せしめ、接続後前記雨樋カバー支持金具の接続部と前記樋受け金具の後方接続部とを接続部材を介して接続せしめ組立てられることを特徴とする雨樋カバー支持金具及び樋受け金具。
【請求項１１】
前記請求項１０の雨樋カバー支持金具と樋受け金具に、前記請求項１〜１０の雨樋カバーを組立て使用することを特徴とする請求項１又は２又は３又は４又は５又は６又は７又は８又は９又は１０に記載の雨樋カバー支持金具及び樋受け金具。
【請求項１２】
雨樋カバーと雨樋カバー支持金具と樋受け金具の接続施工法において、
前記雨樋カバー支持金具を軒先に所定の間隔おきに止め具を介し取着せしめられた後、前記雨樋の後方縁部を前記係止部に係止もしくは引掛け係止せしめ、前記雨樋の後方縁部を引掛けもしくは引掛け係止後、前記雨樋カバー支持金具を構成する雨樋カバー取付け部の縁係止部のボルトと、前記樋受け金具の前方接続部とを接続せしめ、接続後前記樋受け金具の後方接続部とを接続部材を介して接続せしめ接続施工後、前記雨樋の左側方と右側方から前記雨樋カバーを構成する長尺の雨樋カバーを、前記雨樋カバー支持金具の雨樋カバー取付け部に溶着の接続用ネジに接続せしめ、接続後前記長尺の雨樋カバーの間隙部分に短尺の接続用雨樋カバーを載置接続せしめ、カットすることなく止め具を介して前記長尺の雨樋カバー及び短尺の接続用雨樋カバーを接続施工せしめることを特徴とする雨樋カバーの接続施工法。
【発明の詳細な説明】
【技術分野】
【０００１】
本発明は、雨水の大半（約７割）を雨樋カバーの裏面に流し、残り（約３割）の雨水を雨樋カバーの表面に流すと共に、落ち葉は樋内に侵入させずに屋根外に流すようにすると共に、雨樋カバーを構成する長尺の雨樋カバーと短尺の接続用雨樋カバーが切り込み鋏等を全く使用せずに接続施工ができるようにした雨樋カバーと雨樋カバー支持金具と樋受け金具及び接続施工法の技術分野に関するものである。
【背景技術】
【０００２】
従来樋受金具として、本件特許出願人が所有する特許第４４７５２５３号（発明の名称  樋受金具）が開示されており、この特許権の第５図に図示されている雨樋カバーａに雨水を雨樋ｄ内に排水せしめる小孔９が、所定の間隔おきに複数形成せしめられている。
【０００３】
しかし、この雨樋カバーａに形成されている小孔９は、円形状に形成されているがため、屋根に降ってきた雨水が表面張力現象を起して、前記雨樋カバーａの裏面部内には流水することなく、しかも雨樋カバーａの下方部に取付けられている雨樋ｄ内に落下しにくいと云う欠陥があった。
【０００４】
さらに、従来の雨樋カバーは、屋根の軒先に取付けられた雨樋の上方開口部をカバーすると共に、取付け施工作業が高所のため極めて危険を伴っていた。
【０００５】
また、近年屋根工事専門の板金職人さんが高齢化してきたことによって、職人さんの人員が極めて少なくなり、そのため施工工事費が高騰していた。
【０００６】
そして、従来の雨樋カバーは、ステンレス製板（厚さ０．４ｍｍ）にして、且長尺物のため、金切り鋏で適宜の長さにカットするカット作業工程が必要とされていた。従って、雨樋カバーのステンレス板材を切断する作業と、取付け作業工事費が節減どころではなく、高騰する原因にもなっていた。
【０００７】
さらに、従来の雨樋カバーの設置の作業工程として、雨樋と雨樋カバーとを支持する雨樋カバー支持金具と、別設の樋受け金具が夫々別々に取付ける作業工程を必要としていた。そのため作業工程が多く、さらに高所での作業のため危険度が倍増する等弊害が多々あった。
【０００８】
また、従来の雨樋カバーの弊害を下記に説明すると以下のとおりである。
【０００９】
一般的に住宅の屋根は、一つとして同じ寸法はなく、必ず雨樋カバーの余りの部分（部材）を切断しなければならなかった。
【００１０】
これを切断すると云う作業が大変であった。ましてや雨樋は、高い足場の上での作業である。
【００１１】
出願人が取り付けようとした時、その必要性から雨樋カバーを設置する会社が出ましたが現在はほとんど話をきいていない。
【先行技術文献】
【特許文献】
【００１２】
【特許文献１】特許第４４７５２５３号公報
【発明の概要】
【発明が解決しようとする課題】
【００１３】
しかるに、本発明は、雨樋カバーを構成する長尺の雨樋カバーと、前記長尺の雨樋カバーより短目の短尺の接続用雨樋カバーの２種類を別設しておき、前記長尺の雨樋カバーと接続用雨樋カバーのカバー部に、打ち抜かずに切れ目を入れて下方部に押出し設けられた雨水流出孔部内に傾斜状もしくは折曲状の雨水流し部を形成することによって、雨水の表面張力現象を防ぎ、雨水の大半を前記両雨樋カバーの裏面部から雨樋に流し込み、雨水の表面張力現象を防止して課題を解決した。
【００１４】
つぎに本発明は、長尺の雨樋カバーと短尺の接続用雨樋カバーとの雨樋カバーの取付け作業時に、前記短尺の接続用雨樋カバーを金切り鋏によって、所定の寸法にするための切り込む作業を全くなくして、雨樋カバーの取付け作業の能率化を図ると共に、施工工事費の著しい節減を図り課題を解決した。
【００１５】
さらに、本発明は、近年の少子高齢化現象によって生ぜしめられている板金職人さんの高齢化問題を解消し、高所作業に付き経験がなくても、僅かの時間で雨樋カバーの施工工事の工程を覚えることができるようにすると共に、施工工事の要領をビデオからスマホに入れ、その都度理解することも可能とする等して課題を解決した。
【００１６】
本発明は、高所作業での危険負担を著しく軽減するために、雨樋の嵌込み作業を、横方向からスライド式ではなく、作業者側の前方部から雨樋の後方縁部を雨樋支持金具の係止部に係止せしめるだけで、雨樋が確実に支承せしめられ、離脱することなく嵌め込んで雨樋の嵌め込み作業を仕易くして、高所での作業性を著しく良好にせしめて課題を解決した。
【課題を解決するための手段】
【００１７】
課題を解決するための手段として、請求項１に記載の発明は、雨樋カバーＡと雨樋カバー支持金具Ｂと樋受け金具Ｃにおいて、
前記雨樋カバーＡが長尺の雨樋カバーａと短尺の接続用雨樋カバーｂ、ｃ、ｄからなり、前記長尺の雨樋カバーａを構成するカバー部１に、所定の間隔毎に打ち抜かずに切れ目を入れて下方部もしくは上方部に押出すか、もしくは折曲せしめて、傾斜状もしくは折曲状の雨水流し部２を雨水流出孔部２ａ内に形成せしめることを特徴とする雨樋カバーである。
【００１８】
課題を解決するための手段として、請求項２に記載の発明は、前記雨水流出孔部２ａ内に形成せしめられた雨水流し部２が、四辺形状にて形成せしめられていることを特徴とする請求項１に記載の雨樋カバーである。
【００１９】
課題を解決するための手段として、請求項３に記載の発明は、前記雨水流出孔部２ａ内に形成せしめられた流水流し部２が、雨樋カバーＡを構成する前記長尺の雨樋カバーａの上方縁部３寄りを基部５とするか、もしくは反対側の下方縁部４寄りを基部５として形成せしめられていることを特徴とする請求項１又は２に記載の雨樋カバーである。
【００２０】
課題を解決するための手段として、請求項４に記載の発明は、前記雨樋カバーＡの長尺の雨樋カバーａの左側方部６と右側方部７に、接続用孔部８が夫々形成せしめられていることを特徴とする請求項１又は２又は３に記載の雨樋カバーである。
【００２１】
課題を解決するための手段として、請求項５に記載の発明は、前記雨樋カバーＡの長尺の雨樋カバーａに形成せしめられている前記雨水流し部２付き雨水流出孔部２ａが、左右交互に交差せしめる千鳥足状に形成せしめられていることを特徴とする請求項１又は２又は３又は４に記載の雨樋カバーである。
【００２２】
課題を解決するための手段として、請求項６に記載の発明は、前記雨水流し部２が、平面形状にて形成せしめられていることを特徴とする請求項１又は２又は３又は４又は５に記載の雨樋カバーである。
【００２３】
課題を解決するための手段として、請求項７に記載の発明は、前記接続用雨樋カバーｂ、ｃ、ｄが前記長尺の雨樋カバーａを雨樋Ｄにカバー施工する際に発生する隙間を埋めるための所定の長さにして、且左側方部１０ａと右側方部１０ｂに、前記長尺の雨樋カバーａと接続せしめる接続用孔部１１ａが、雨樋カバー支持金具Ｂに突設せしめる接続用ネジ１０にスムーズに挿し通すことができるように、複数並列状に所定の間隔を設けて形成せしめられていることを特徴とする請求項１又は２又は３又は４又は５又は６に記載の雨樋カバーである。
【００２４】
課題を解決するための手段として、請求項８に記載の発明は、前記請求項７に記載されている接続用雨樋カバーｂ、ｃ、ｄが、長さが最も短い短尺の接続用カバーｂと、前記短尺の接続用雨樋カバーｂよりも長い中尺の接続用雨樋カバーｃと、前記中尺の接続用雨樋カバーｃよりも長い長尺の接続用雨樋カバーｄにして、且前記短尺の接続用雨樋カバーｂ及び前記中尺の接続用雨樋カバーｃ並びに前記長尺の接続用雨樋カバーｄの左側方部１０ａと右側方部１０ｂに接続用孔部１１ａが複数形成せしめられていることを特徴とする請求項１又は２又は３又は４又は５又は６又は７に記載の雨樋カバーである。
【００２５】
課題を解決するための手段として、請求項９に記載の発明は、前記請求項７に記載されている接続用雨樋カバーｂ、ｃ、ｄの接続用孔部１１ａが、平行状にして、且複数並列状にて形成せしめられていることを特徴とする請求項１又は２又は３又は４又は５又は６又は７又は８に記載の雨樋カバーである。
【００２６】
課題を解決するための手段として、請求項１０に記載の発明は、雨樋カバー支持金具Ｂと樋受け金具Ｃにおいて、
前記雨樋カバー支持金具Ｂが、裏面部９に雨樋カバーＡとの接続用ネジ１０を溶着する傾斜状雨樋カバー取付け部１１を設け、且前記雨樋カバー取付け部１１の後方部を下方に折曲せしめて、内側方に突設する雨樋Ｄの後方縁部１４を係止もしくは引掛け係止する係止部１５付き軒取付け部１６を形成せしめ、前記軒取付け部１６の下方部を延設して前記雨樋Ｄを支承する支承部１６ａと、前記支承部１６ａの先端部に樋受け金具Ｃと接続する接続部１６ｂを形成せしめ、前記雨樋カバー取付け部１１の前方部に前記雨樋Ｄの前方縁部１７を係止する縁係止部１８を形成すると共に、前記縁係止部１８にボルト１９を取着せしめ、
前記樋受け金具Ｃが、後方端部に前記雨樋カバー支持金具Ｂの先端部に設けた接続部１６ｂと接続せしめる嵌挿孔２１付き後方接続部２０を形成せしめ、前方部に前記雨樋カバー支持金具Ｂの雨樋カバー取付け部１１の前方部と接続する孔部２２ａ付き前方接続部２２とを形成せしめると共に、前記雨樋カバー支持金具Ｂの軒取付け部１６の係止部１５に前記雨樋Ｄの後方縁部１４を、前記係止部１５に引掛けもしくは引掛け係止せしめた後、前記樋受け金具Ｃの前方部と、前記縁係止部１８とをボルト１９を介して接続せしめ、接続後前記雨樋カバー支持金具Ｂの接続部１６ｂと前記樋受け金具Ｃの後方接続部２０とを接続部材を介して接続せしめ組立てられることを特徴とする雨樋カバー支持金具及び樋受け金具である。
【００２７】
課題を解決するための手段として、請求項１１に記載の発明は、前記請求項１０の雨樋カバー支持金具Ｂと樋受け金具Ｃに、前記請求項１〜１０の雨樋カバーＡを組立て使用することを特徴とする請求項１又は２又は３又は４又は５又は６又は７又は８又は９又は１０に記載の雨樋カバー支持金具及び樋受け金具である。
【００２８】
課題を解決するための手段として、請求項１２に記載の発明は、雨樋カバーＡと雨樋カバー支持金具Ｂと樋受け金具Ｃの接続施工法において、
前記雨樋カバー支持金具Ｂを軒先に所定の間隔おきに止め具を介し取着せしめられた後、前記雨樋Ｄの後方縁部１４を前記係止部１５に係止もしくは引掛け係止せしめ、前記雨樋Ｄの後方縁部１４を引掛けもしくは引掛け係止後、前記雨樋カバー支持金具Ｂを構成する雨樋カバー取付け部１１の縁係止部１８のボルト１９と、前記樋受け金具Ｃの前方接続部２２とを接続せしめ、接続後前記樋受け金具Ｃの後方接続部２０とを接続部材を介して接続せしめ接続施工後、前記雨樋Ｄの左側方と右側方から前記雨樋カバーＡを構成する長尺の雨樋カバーａを、前記雨樋カバー支持金具Ｂの雨樋カバー取付け部１１に溶着の接続用ネジ１０に接続せしめ、接続後前記長尺の雨樋カバーａの間隙部分に短尺の接続用雨樋カバーｂ、ｃ、ｄを載置接続せしめ、カットすることなく止め具を介して前記長尺の雨樋カバーａ及び短尺の接続用雨樋カバーｂ、ｃ、ｄを接続施工せしめることを特徴とする雨樋カバーの接続施工法である。
【発明の効果】
【００２９】
本発明の雨樋カバー支持金具と樋受け金具と雨樋カバー並びに接続施工法は、上述のとおりなので、雨水の大半（約７割）を雨樋カバーの裏に流し、残り（約３割）を雨樋カバー外の表面に流すと共に、落ち葉の雨樋内への侵入を防止せしめた。
【００３０】
本発明は、上述のとおり、雨樋カバーの構成を長尺の雨樋カバーと短尺の接続用雨樋カバーとすることによって、雨樋カバーの接続施工を簡単にして、且確実に、しかも迅速に可能とし、さらに接続用雨樋カバーを金切り鋏によってカットせしめる作業工程を解消せしめたので、雨樋カバーの施工工事費を著減できた。
【００３１】
本発明は、さらに近年の板金職人さんの高齢化や高所作業に付き経験がなくても、僅かな時間で覚えることができると共に、雨樋カバーの取付け施工工事をビデオからスマホに入れて、その都度理解することもできる等、優れた利点を多数併有している。
【００３２】
本発明は、雨樋カバー支持金具と樋受け金具を上述のような構造にすることによって、前記雨樋を作業者側の前方部より前記雨樋の後方縁部を、雨樋カバー支持金具を構成する雨樋カバー取付け部に引掛けもしくは引掛け係止せしめると、前記雨樋が雨樋カバー支持金具の支承部に載置支承せしめられ、さらに前記雨樋の前方縁部が、縁係止部に係止せしめられて、容易に離脱することなく、安心して前記樋受け金具の接続作業ができる。そのため高所作業の危険度を著しく軽減せしめ、さらに高所作業の能率化を促進せしめる等の優れた利点を有する。
【図面の簡単な説明】
【００３３】
【図１】本発明の雨樋カバーと雨樋カバー支持金具と樋受け金具及び接続施工法における雨樋カバーが雨樋カバー支持金具に接着直前の状態を示す縦断面図である。
【００３４】
【図２】図１の状態から、雨樋カバーが雨樋カバー支持金具に密着した状態の縦断面図である。
【００３５】
【図３】同第２実施例の雨樋カバーを雨樋カバー支持金具に密着せしめた状態の縦断面図である。
【００３６】
【図４】同第２実施例の雨樋支持金具に雨樋カバーが密着した状態の縦断面図である。
【００３７】
【図５】同第１実施例の長尺の雨樋カバーの一部切欠拡大平面図である。
【００３８】
【図６】同第１実施例の長尺の雨樋カバーの側面図である。
【００３９】
【図７】同第２実施例の長尺の雨樋カバーの側面図である。
【００４０】
【図８】同第３実施例の長尺の雨樋カバーの側面図である。
【００４１】
【図９】同第４実施例の長尺の雨樋カバーの側面図である。
【００４２】
【図１０】同第５実施例の長尺の雨樋カバーの側面図である。
【００４３】
【図１１】同図９の第５実施例の長尺の雨樋カバーの一部切欠拡大平面図である。
【００４４】
【図１２】同長尺の雨樋カバーの一部切欠斜視図である。
【００４５】
【図１３】同短尺の接続用雨樋カバーの平面図である。
【００４６】
【図１４】同中尺の接続用雨樋カバーの平面図である。
【００４７】
【図１５】同長尺の接続用雨樋カバーの平面図である。
【００４８】
【図１６】同長尺の雨樋カバーと短尺の接続用雨樋カバーが接続施工せしめられる前の雨樋の一部切欠斜視図である。
【００４９】
【図１７】図１６のように取付けられた長尺の雨樋カバーが雨樋の左右両側方から雨樋カバー支持金具を介して取付けられた際に形成せしめられた間隙部に、所定の長さの短尺の雨樋カバーが接続せしめられようとしている長尺の雨樋カバーと短尺の雨樋カバーの接続直前の状態を示す一部切欠平面図である。
【発明を実施するための最良の形態】
【００５０】
本発明の請求項１〜１２に記載の発明に関する実施の形態は、共通しているので、一括して以下のとおり説明する。
【００５１】
図において、Ａは長尺と短尺の２種類の雨樋カバーからなるステンレス板製雨樋カバーであり、ａは長尺の雨樋カバーである。ｂ、ｃ、ｄは短尺の接続用雨樋カバーである。
【００５２】
図において、Ｂは雨樋カバー支持金具であり、Ｃは樋受け金具であり、Ｄは雨樋である。
【００５３】
以下上述した本発明の各構成部材の実施例を順次説明する。
【００５４】
＜長尺の雨樋カバーａに関する実施例＞
前記長尺の雨樋カバーａの構造は以下のとおりである。
【００５５】
前記長尺の雨樋カバーａは、カバー部１に、所定の間隔毎に打ち抜かずに切れ目を入れて下方部もしくは上方部に押出すか、もしくは折曲せしめて、傾斜状もしくは折曲状の雨水流し部２を雨水流出孔部２ａ内に形成せしめる。
【００５６】
さらに前記長尺の雨樋カバーａは、前記雨水流出孔部２ａ内に形成せしめられている傾斜用もしくは折曲状の雨水流し部２が、四辺形状にて形成せしめられている。
【００５７】
また、前記長尺の雨樋カバーａは、前記雨水流出孔部２ａ内に形成せしめられている流水流し部２が、雨樋カバーＡを構成する前記長尺の雨樋カバーａの上方縁部３寄りを基部５とするか、もしくは反対側の下方縁部４寄りを基部５として形成せしめられている。  
【００５８】
前記雨樋カバーＡは、長尺の雨樋カバーａと接続用雨樋カバーｂ、ｃ、ｄとからなり、前記長尺の雨樋カバーａの左側方部６と右側方部７に接続用孔部８が形成され、他方接続用雨樋カバーｂ、ｃ、ｄの左側方部９と右側方部１０には、細長形状の接続孔部１１ａが並列状に複数形成せしめられている。
【００５９】
そして、前記長尺の雨樋カバーａに形成せしめられている前記雨水流し部２付き雨水流出孔部２ａは、図５、１１に図示するように、千鳥足状に形成せしめてもよい。前記のように形成することによって、傾斜状（雨水が流れ易いように形成した。）になって施工された際に、雨水の大半が前記雨水流出孔部２ａに排出可能である。
【００６０】
前記長尺の雨樋カバーａは、通常長さが４０ｃｍのものとする。
【００６１】
また、前記雨水流し部２は、側面より見て平面形状にて形成せしめてもよい。
【００６２】
＜短尺の接続用雨樋カバーｂ、ｃ、ｄに関する実施例＞
この接続用雨樋カバーｂ、ｃ、ｄは、前記長尺の雨樋カバーａの長さより、短く形成せしめられている。
【００６３】
さらに、前記接続用雨樋カバーｂ、ｃ、ｄは、前記長尺の雨樋カバーａを雨樋Ｄにカバー施工する際に発生する隙間を埋めるための所定の長さにして、且左側方部９と右側方部１０に、接続用孔部１１ａが、雨樋カバー支持金具Ｂの接続用ネジ１０に挿通しができるように、複数並列状にして、且上段と下段に平行状に所定の間隔を設けて形成せしめられている。
【００６４】
前記接続用雨樋カバーｂは、長さが最も短い短尺の接続用雨樋カバーｂと、前記短尺の接続用雨樋カバーｂよりも長い中尺の接続用雨樋カバーｃと、前記中尺の接続用雨樋カバーｃよりも長い長尺の接続用雨樋カバーｄにして、且前記短尺の接続用雨樋カバーｂ及び前記中尺の接続用雨樋カバーｃ並びに前記長尺の接続用雨樋カバーｄの左側方部１０ａと右側方部１０ｂは、接続用孔部１１ａが並列状に複数形成せしめられている。
【００６５】
前記接続用孔部１１ａは、図面に図示されているように、直列状にして、且上段と下段に平行状に複数形成されている。
【００６６】
前記接続用孔部１１ａは、前記長尺の雨樋カバーａ、ａが雨樋Ｄにカバー施工された際に、重なり合う前記した短尺の接続用雨樋カバーｂもしくは中尺の接続用雨樋カバーｃもしくは長尺の雨樋カバーｄの接続用孔部１１ａが、雨樋カバー取付け部１１に取付けられている接続用ネジ１０に嵌り込み、ナット１０ｃによって接続される。
【００６７】
さらに本発明の接続用雨樋カバーｂについて説明する。
【００６８】
図１３の短尺の接続用雨樋カバーｂは、長さを１０ｃｍにして、長尺の雨樋カバーａ、ａ間の隙間が２ｃｍから８ｃｍあるときに使用される。
【００６９】
図１４の中尺の接続用雨樋カバーｃは、長さが２５ｃｍにして、前記した隙間が２ｃｍから２１ｃｍまでのときに使用される。
【００７０】
図１５の長尺の雨樋カバーｄは、長さが４０ｃｍにして、前記した隙間が２ｃｍから４０ｃｍまでのときに使用される。
【００７１】
従って、本発明は、前記のように長さが異なる接続用雨樋カバーｂ、ｃ、ｄを別設しておくことによって、施工工事業者らの好みに応じ適宜使用することができる。
【００７２】
前記長尺の雨樋カバーａと短尺の接続用雨樋カバーｂ、ｃ、ｄを雨樋カバーとして施工せしめる施工方法については、後述する。
【００７３】
＜雨樋カバー支持金具Ｂに関する実施例＞
つぎに前記雨樋カバー支持金具Ｂの構造について説明する。
【００７４】
前記雨樋カバー支持金具Ｂは、図１、２、３、４に図示されているように、ステンレス製板厚２ｍｍの裏面部９に雨樋カバーＡとの接続用ネジ１０を溶着する傾斜状雨樋カバー取付け部１１を有し、且前記雨樋カバー取付け部１１の後方部を鋭角で折曲せしめ、内側方に突設する雨樋Ｄの後方縁部１４を引掛け係止する係止部１５付き軒取付け部１６を形成せしめる。前記軒取付け部１６は、板状にして、且釘等を打込むことができる孔部（図示なし）を形成する。この孔部は従来業界で一般的に知られているように複数個である。
【００７５】
さらに前記軒取付け部１６の下方部を延設して、前記雨樋Ｄの半分以上を支承する支承部１６ａと、前記支承部１６ａの先端部に樋受け金具Ｃと接続する接続部１６ｂが形成される。
【００７６】
つぎに、前記雨樋カバー支持金具Ｂは、該金具Ｂを構成する前記雨樋カバー取付け部１１の前方部に、前記雨樋Ｄの前方縁部１７が係止する縁係止部１８を形成すると共に、前記縁係止部１８にボルト１９を取着せしめる。
【００７７】
以上が雨樋カバー支持金具Ｂの構成である。
【００７８】
＜樋受け金具Ｃに関する実施例＞
つぎに樋受け金具Ｃについて説明する。
【００７９】
後方端部には、前記雨樋カバー支持金具Ｂの先端部に設けた接続部１６ｂと接続せしめる嵌挿孔２１付き後方接続部２０を形成せしめ、前方部には、前記支持金具Ｂの雨樋カバー取付け部１１の前方部と接続する孔部２２ａ付き前方接続部２２を形成せしめる。そして、前記支持金具Ｂの軒取付け部１６の係止部１５には、前記雨樋Ｄの後方縁部１４を、前記係止部１５に引掛け係止せしめた後、前記樋受け金具Ｃの前方部と、前記縁係止部１８とをボルト１９を介して接続せしめ、接続後前記雨樋カバー支持金具Ｂの接続部１６ｂと前記樋受け金具Ｃの後方接続部２０とを接続部材を介して接続せしめる。      
【００８０】
つぎに、前記樋受け金具Ｃは、後方部をボルト１６ｄとナット１６ｃを介して接続せしめ、且前記支持金具Ｂの前方部と前記樋受け金具Ｃの前方部とは、ボルト１９を介して締付け組立てる。
【００８１】
＜雨樋カバーＡと雨樋カバー支持金具Ｂと樋受け金具Ｃと雨樋Ｄの接続施工法＞
第一工程として、前記雨樋カバー支持金具Ｂを、図１、２、３に図示する軒先（図示なし）の所定個所に、所定の間隔おきに、前記雨樋カバー支持金具Ｂの軒取付け部１６を止め具（釘類）を複数本打込み、前記雨樋カバー支持金具Ｂを固定する。
【００８２】
第二工程として、前記雨樋Ｄを手で持ち、前記雨樋Ｄの後方縁部１４を前記支持金具Ｂの係止部１５に引掛け係止せしめる。その際雨樋Ｄが支承部１６ａによって支承されて、手を離しても雨樋Ｄの後方縁部１４が係止部１５から離脱しない。
【００８３】
第三工程として、前記雨樋Ｄの後方縁部１４を前記係止部１５に引掛け係止せしめ、前記雨樋Ｄの後方縁部１４を引掛け係止後、前記雨樋カバー支持金具Ｂを構成する雨樋カバー取付け部１１の縁係止部１８のボルト１９と、前記樋受け金具Ｃの前方接続部２２とをボルト１９とナット１９ａを介して接続せしめ、接続後前記樋受け金具Ｃの後方接続部２０とを接続部材であるボルト１６ｄとナット１６ｃを介して接続せしめる。
【００８４】
第四工程として、前記雨樋Ｄの左側方と右側方から前記ステンレス板製雨樋カバーＡを構成する長尺の雨樋カバーａを前記長尺の雨樋カバーａの左右両側方部６、７に形成されている接続用孔部８に、前記支持金具Ｂの雨樋カバー取付け部１１に溶着の接続用ネジ１０に挿通して接続せしめる。
【００８５】
第五工程として、前記長尺の雨樋カバーａ、ａの間隙部分に、接続用雨樋カバーｂを載置接続せしめる。その際、前記両雨樋カバーａ、ａとの間隙部分が長かったり、あるいは短かったりしたときは、例えば２ｃｍから８ｃｍあるときは、図１３の短尺の接続用雨樋カバーｂを使用し、前記隙間が２ｃｍから２１ｃｍまでのときは、図１４の中尺の接続用カバーｃを使用し、さらに隙間が２ｃｍから４０ｃｍまでのときは、長さが４０ｃｍの図１５の長尺の雨樋カバーｄを使用する。従って、前記のように、３種類のものを予め用意しておけば、左右サイドから取付けてきた長尺の雨樋カバーａの間隙の大小に拘らず、前記した両雨樋カバーａ、ｂ、ｃ、ｄに形成せしめられている接続用孔部８と接続用ネジ１０とを合わせ、ナット１０ｃで螺着すれば、前記雨樋カバーａ、ｂ、ｃ、ｄを簡単に且確実に、カット作業をすることなく接続できる。
【００８６】
本発明は、前記のようにして前記雨樋カバーａ、ａに前記接続用雨樋カバーｂ、ｃ、ｄが重ね合わされて接続される際に、前記雨樋カバーａ、ｂの左側方部６、９と右側方部７、１０に、夫々形成されている接続用孔部８、１１ａが、雨樋カバー取付け部１１に溶着の接続用ネジ１０にスムーズに挿通せしめられる。
【００８７】
本発明は、以上のような各工程によって、雨樋カバーａ、ｂ、ｃ、ｄと雨樋カバー支持金具Ｂと樋受け金具Ｃと雨樋Ｄの接続施工時において、前記長尺の雨樋カバーａに重なり合って接続施工する際に、前記長尺の雨樋カバーａと接続用雨樋カバーｂ、ｃ、ｄは、接続用孔部１１ａを、ヤスリをかけて隣接する接続用孔部１１ａを削り落すことによって、孔部同士を接続することができるので、金切り鋏によってカット作業を行うことなく接続施工をすることができる。
【００８８】
＜雨水流出孔部２ａと雨水の流れの関係＞
上記のように形成せしめられている雨樋Ｄをカバーする左右両サイドに取付けられた両雨樋カバーａ、ａと、接続用雨樋カバーｂの雨水流し部２と、雨水流出孔部２ａとの関係について説明する。
【００８９】
本発明の前記雨樋カバーＡを構成する両サイドの雨樋カバーａ、ａと接続用雨樋カバーｂの上面に降雨があると、雨水は屋根から勢いをつけて流れ落ちてくる。
【００９０】
前記のように流れ落ちてきた雨水の大半（７割）が、表面張力現象を生ずることなく、スムーズに雨水流出孔部２ａから流出して、雨水流し部２へと流れて行き、そして下方部の雨樋Ｄに滴下する。他方残り（３割）の雨水は、雨樋カバーの外側方に流れる。
【００９１】
さらに本発明においては、上方部に直角状もしくは傾斜状に突出して形成せしめられた雨水流し部２に対しては、流れてきた雨水が衝突して流れがストップされて、大半（約７割）の雨水は、雨水流出孔部２ａから雨樋Ｄに滴下し、残りの雨水は両雨樋カバーａ、ａと接続用雨樋カバーｂの表面部から外側方に流出する。
【００９２】
以上が雨水流出孔部２ａと雨水の流れの関係である。
【００９３】
＜接続用雨樋カバーｂにおける雨水流出孔部２ａと雨水の流れの関係＞
接続用雨樋カバーｂに形成せしめられている雨水流出孔部２ａと、降ってきた雨水の流れの関係についても、前記長尺の雨樋カバーａに形成されている雨水流出孔部２ａと雨水の流れの関係について説明したものと同じなので、その具体的な説明は割愛した。
【００９４】
本願発明において構成上の要旨とされる点は、前記した雨樋カバーＡを構成する雨水流出孔部２ａに形成した種々の形態と左右両側部に接続用孔部８を形成せしめる長尺の雨樋カバーａと、短尺の接続用雨樋カバーｂ、ｃ、ｄと、第２に前記した構造の雨樋カバー支持金具Ｂと、第３に前記した構造の樋受け金具Ｃとから構成されている点である。
【００９５】
以上に本発明の実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００９６】
Ａ        雨樋カバー
Ｂ        雨樋カバー支持金具
Ｃ        樋受け金具
Ｄ        雨樋
ａ        長尺の雨樋カバー
ｂ        接続用雨樋カバー
ｃ        接続用雨樋カバー
ｄ        接続用雨樋カバー
１        カバー部
２        雨水流し部
２ａ      雨水流出孔部
３        上方縁部
４        下方縁部
５        基部
６        左側方部
７        右側方部
８        接続用孔部
９        裏面部  
１０      接続用ネジ
１０ａ    左側方部
１０ｂ    右側方部
１０ｃ    ナット
１１      雨樋カバー取付け部
１１ａ    接続用孔部
１４      後方縁部
１５      係止部
１６      軒取付け部
１６ａ    支承部
１６ｂ    接続部
１６ｃ    ナット
１６ｄ    ボルト
１７      前方縁部
１８      縁係止部    
１９      ボルト
１９ａ    ナット
２０      後方接続部
２１      嵌挿孔
２２      前方接続部
２２ａ    孔部
【図１】
2020012316.tif 000003
【図２】
2020012316.tif 000004
【図３】
2020012316.tif 000005
【図４】
2020012316.tif 000006
【図５】
2020012316.tif 000007
【図６】
2020012316.tif 000008
【図７】
2020012316.tif 000009
【図８】
2020012316.tif 000010
【図９】
2020012316.tif 000011
【図１０】
2020012316.tif 000012
【図１１】
2020012316.tif 000013
【図１２】
2020012316.tif 000014
【図１３】
2020012316.tif 000015
【図１４】
2020012316.tif 000016
【図１５】
2020012316.tif 000017
【図１６】
2020012316.tif 000018
【図１７】
2020012316.tif 000019